(57)【要約】【課題】ストレーナエレメントの掃除頻度が少なくて済み、ストレーナエレメントの夾雑物除去が容易なインラインストレーナが嘱望されている。【解決手段】インラインストレーナ１は、筒状に形成されたハウジング２の一方の筒端が液体の流入口６であり、ハウジング２の他方の筒端が前記流入口６と略同軸心の流出口７であり、ハウジング２内にストレーナエレメント２２が配備されているものであって、先端に向かうにつれて内径が小さくなる縮径筒部３０と、他端側に形成されたサイクロン流入口とを有するサイクロン筒体２８が、縮径筒部３０をハウジング２の流入口６寄りにしサイクロン流入口をハウジング２の流出口７寄りに配置してハウジング２内に設けられ、一端が閉塞し他端が開口する筒状に形成されたストレーナエレメント２２がサイクロン筒体２８内に収納され、ストレーナエレメント２２の他端開口２５がハウジング２の流出口７に連結されている。【選択図】図４
2011025150.tif 000002
【特許請求の範囲】
【請求項１】
筒状に形成されたハウジングの一方の筒端が液体の流入口であり、ハウジングの他方の筒端が前記流入口と略同軸心の流出口であり、ハウジング内にストレーナエレメントが配備されているインラインストレーナにおいて、一端に向かうにつれて内径が小さくなる縮径筒部と他端開口に形成されたサイクロン流出口とを有するサイクロン筒体が、縮径筒部をハウジングの流入口寄りに配置しサイクロン流出口をハウジングの流出口に連結してハウジング内に設けられ、サイクロン流出口近傍のサイクロン筒体の周壁にサイクロン流入口が形成され、ストレーナエレメントが、ハウジングの流出口とサイクロン流出口との間のハウジングに取り付けられていることを特徴とするインラインストレーナ。
【請求項２】
サイクロン筒体の縮径筒部の先端に取出開口部が形成され、ハウジングの筒壁に外部と連通する外部開口部が形成され、該外部開口部に前記サイクロン筒体の取出開口部が連結される構成にされていることを特徴とする請求項１に記載のインラインストレーナ。
【請求項３】
ストレーナエレメントは、一端が閉塞し他端が開口する筒状に形成されてサイクロン筒体内に収納され、閉塞部の先端がサイクロン筒体内で縮径筒部の先端を向いていることを特徴とする請求項１または請求項２に記載のインラインストレーナ。
【発明の詳細な説明】
【技術分野】
【０００１】
本発明は、農薬液などの液体を散布する配管ラインの途中に、該配管ラインと同軸心に介装されるインラインストレーナに関するものである。
【背景技術】
【０００２】
従来、この種のインラインストレーナの一例を図１１（ａ）に示す。図示のインラインストレーナ６１Ａは、一方の筒端に流入口６６が設けられた円筒状の本体ケース６３と、本体ケース６３の他方の筒端に密封状に装着された本体蓋６４とから成るハウジング６２を備えている。このハウジング６２内で流入口６６の近傍には弁座９５が形成され、弁座９５を開閉する弁体９２が内装されている。本体ケース６３の内周面と弁体９２との間には円筒状のストレーナエレメント８３Ａがハウジングと同軸心で配備されている。ストレーナエレメント８３Ａは本体蓋６４の下面で押下される通水可能な保持部材９０により保持される。弁体９２は保持部材９０との間に介装されたコイルバネ９１により弁座９５を閉止する方向に付勢されている。流入口６６にはポンプとつながったホースなどが接続され、流出口６７にはノズル付きの薬液散布管が接続される。
このインラインストレーナ６１Ａでは、流入口６６から農薬液が流入すると、農薬液は弁体９２を押して弁座９５を開きストレーナエレメント８３Ａ内に流入する。その後、農薬液はストレーナエレメント８３Ａを外向きに通過してゴミや砂利などの夾雑物を濾し取られた後に保持部材９０を経て流出口６７から薬液散布管へ流れるようになっている。このように農薬液がストレーナエレメントの内側から外側へ通過する型式のインラインストレーナは、例えば下記の特許文献１に記載されている
【０００３】
一方で、この種のインラインストレーナの別例を図１１（ｂ）に示す。図示のインラインストレーナ６１Ｂは、前述したインラインストレーナ６１Ａと同様のハウジング６２を備えている。このハウジング６２内に弁座９５はないが、円筒状のストレーナエレメント８３Ｂが配備されている。ストレーナエレメント８３Ｂは一端が周方向４ヶ所でカシメ部９４の形成により閉塞されて他端が開口している。このストレーナエレメント８３Ｂの他端開口は本体蓋６４の内周面とコイルバネ９３により保持されて流出口６７と連結されている。
このインラインストレーナ６１Ｂにおいて、流入口６６から本体ケース６３内に流入した農薬液は、ストレーナエレメント８３Ｂの外側から内側へ通過して夾雑物を濾し取られたのち流出口６７から出て薬液散布管へ流れるようになっている。
【先行技術文献】
【特許文献】
【０００４】
【特許文献１】特開平７−７３６号公報
【発明の概要】
【発明が解決しようとする課題】
【０００５】
ところで、散布作業を行なっている最中にストレーナエレメント８３Ａ，８３Ｂが詰ってくると、噴霧の勢いが弱くなり散布量も減るので、満足のいく散布作業ができなくなる。そこで、現地でインラインストレーナ６１Ａ，６１Ｂを分解して夾雑物を除去する必要が生じる。このような場合、操作者はインラインストレーナ６１Ａ，６１Ｂの上流側にある開閉弁を閉止し、ストレーナエレメント８３Ａ，８３Ｂを取り出すために、本体蓋６４を本体ケース６３から外さなければならない。すると、ポンプからノズルまでの一連の配管ラインが途中で開放されることとなり、多量の農薬液が本体ケース６３から流失することがある。また、取り出したストレーナエレメント８３Ａ，８３Ｂは、ブラシなどを用いて夾雑物を削ぎ落としたりするのであるが、強固にへばり付いた夾雑物は簡単に除去できない。特に、ストレーナエレメント８３Ａの場合は、エレメント内面に夾雑物が溜まるので、ブラシを用いること自体が困難である。
一方で、ストレーナエレメントの開目が粗すぎると、径の大きな夾雑物がストレーナエレメントを通過し下流側のノズルを詰まらせるおそれがある。そこで、比較的開目の細かいストレーナエレメントが使用されるが、それによって、微粒のものから大粒のものまでがストレーナエレメントで捕捉される。そのために、ストレーナエレメントの掃除頻度が多くならざるを得なかった。
【０００６】
本発明は、上記した従来の問題点に鑑みてなされたものであって、ストレーナエレメントの掃除頻度が少なくて済み、ストレーナエレメントの夾雑物除去が容易なインラインストレーナの提供を目的とする。
【課題を解決するための手段】
【０００７】
上記目的を達成するために、本発明に係るインラインストレーナは、筒状に形成されたハウジングの一方の筒端が液体の流入口であり、ハウジングの他方の筒端が前記流入口と略同軸心の流出口であり、ハウジング内にストレーナエレメントが配備されているインラインストレーナにおいて、一端に向かうにつれて内径が小さくなる縮径筒部と他端開口に形成されたサイクロン流出口とを有するサイクロン筒体が、縮径筒部をハウジングの流入口寄りに配置しサイクロン流出口をハウジングの流出口に連結してハウジング内に設けられ、サイクロン流出口近傍のサイクロン筒体の周壁にサイクロン流入口が形成され、ストレーナエレメントが、ハウジングの流出口とサイクロン流出口との間のハウジングに取り付けられた構成にしてある。
【０００８】
また、前記構成において、サイクロン筒体の縮径筒部の先端に取出開口部が形成され、ハウジングの筒壁に外部と連通する外部開口部が形成され、該外部開口部に前記サイクロン筒体の取出開口部が連結される構成にされているものである。
【０００９】
更に、前記した構成において、ストレーナエレメントは、一端が閉塞し他端が開口する筒状に形成されてサイクロン筒体内に収納され、閉塞部の先端がサイクロン筒体内で縮径筒部の先端を向いているものである。
【発明の効果】
【００１０】
本発明に係るインラインストレーナによれば、サイクロン筒体がハウジング内に設けられ、ストレーナエレメントがサイクロン筒体内に収納され、ストレーナエレメントがハウジングの流出口とサイクロン流出口との間のハウジングに取り付けられているので、液体中の夾雑物の一部をサイクロン筒体で捕捉し、夾雑物の残りをストレーナエレメントで捕捉できる。これにより、ストレーナ全体の濾過負荷をサイクロン筒体とストレーナエレメントとに分担させることができる。その結果、ストレーナエレメントで捕捉すべき夾雑物が少なくなるので、ストレーナエレメントの掃除頻度を少なくできる。
【００１１】
また、ハウジングの外部と連通する外部開口部に、サイクロン筒体の縮径筒部先端の取出開口部が連結されるものでは、サイクロン筒体の縮径筒部内に溜まった夾雑物を取出開口部から外部開口部を経て外部に取り出すことができる。
【００１２】
更に、ストレーナエレメントの閉塞部の先端がサイクロン筒体内で縮径筒部の先端を向いているものでは、サイクロン筒体の縮径筒部内で流れの向きを変えてストレーナエレメントに向かう液体が、ストレーナエレメントの閉塞部の外周に沿って円滑に案内されてストレーナエレメントの外方位置に導かれる。
【図面の簡単な説明】
【００１３】
【図１】本発明の一実施形態に係るインラインストレーナの斜視図である。
【図２】前記インラインストレーナの正面図である。
【図３】前記インラインストレーナの底面図である。
【図４】前記インラインストレーナの側断面図である。
【図５】図４におけるＢ−Ｂ線矢視断面図である。
【図６】図４におけるＡ−Ａ線矢視断面図である。
【図７】前記インラインストレーナのサイクロン筒体の斜視図である。
【図８】前記インラインストレーナの分解斜視図である。
【図９】本発明の別の実施形態に係るインラインストレーナを示し、（ａ）はその分解斜視図、（ｂ）はその側断面図である。
【図１０】本発明の他の実施形態に係るインラインストレーナを示し、（ａ）はその分解斜視図、（ｂ）はその側断面図である。
【図１１】（ａ）は従来のインラインストレーナの一例を示す側断面図、（ｂ）は従来のインラインストレーナの別例を示す側断面図である。
【発明を実施するための形態】
【００１４】
本発明の実施形態を図面に基づいて説明する。尚、以下に述べる実施形態は本発明を具体化した一例に過ぎず、本発明の技術的範囲を限定するものでない。
図１〜図６において、この実施形態のインラインストレーナ１は、一方の筒端に流入口６が設けられ他方の筒端に開口部５が設けられた円筒状の本体ケース３と、本体ケース３の他方の筒端に装着されて開口部５を封止する本体蓋４とから成るハウジング２を備えている。ハウジング２内には、後で詳述する、ストレーナエレメント２２とサイクロン筒体２８が内装される。上記の本体蓋４は例えば真鍮製であり、本体ケース３は透明材料である例えばポリエチレンナフタレートで構成されている。このポリエチレンナフタレートは透明性、耐衝撃性、耐薬品性、耐候性に富んだ合成樹脂であり、インラインストレーナ１に好適に用いられる。
【００１５】
本体蓋４の内周面には雌ネジ部１０が刻設されている。この雌ネジ部１０は、本体ケース３の他方の筒端外周面に刻設された雄ネジ部９と螺合するようになっている。また、本体蓋４には、本体蓋４が本体ケース３の開口部５を封止した状態で流入口６と同軸心となる位置に、管部４０が突設されている。管部４０の内部は流出口７となっており、管部４０の外周面に雄ネジ部１１が刻設されている。使用にあたり、雄ネジ部１１には例えば薬液散布管（図示省略）の雌ネジ部が螺止される。
【００１６】
本体ケース３の流入口６側の先端部には嵌合溝部３５が形成されており、円筒状の嵌着部材１２が嵌合溝部３５に嵌着されている。嵌着部材１２の内周面には雌ネジ部１３が刻設されている。使用にあたり、この雌ネジ部１３には例えばホース先端の雄ネジ部（図示省略）が螺止される。流入口６近傍位置の本体ケース３の筒壁には、本体ケース３の筒心に対し直角方向外向きに延びる枝管１４が形成されている。この枝管１４には本体ケース３の内部と外部とを連通する外部開口部１５が形成されている。また、枝管１４の外周面には雄ネジ部１６が刻設されている。枝管１４の外部開口部１５を封止する蓋体１７は、その底面に円柱状の栓体１９が突設されている。また、蓋体１７の内周面には雌ネジ部１８が刻設されている。
【００１７】
本体ケース３の内周面において枝管１４の外部開口部１５とつながる位置には、半円受台状の受口４５が形成されている。この受口４５にサイクロン筒体２８の先端が載置されることにより、サイクロン筒体２８が本体ケース３内で位置決め支持される。そして、本体ケース３の内周面の上部には、縦溝状に形成された１対の係合溝部３７，３７（図６参照）が対角位置に形成されている。そして、符号の８はストレーナエレメント２２の他端開口２５近傍に装着され、本体ケース３の開口部５の端面と本体蓋４の下面との間で挟圧されるパッキングである。２０は蓋体１７の栓体１９の根元部分に装着されるパッキングである。３６は管部４０の根元部分に装着されるパッキングである。
【００１８】
ストレーナエレメント２２は、一端開口２４および他端開口２５を有する円筒状に形成された通液自在の濾材２３と、濾材２３に装着されて一端開口２４を閉塞する濾材２７（閉塞部）とから構成されている。濾材２７は円形皿状に形成されており、濾材２３の一端開口２４に嵌め付けられ溶接などで固着される。濾材２３の他端開口２５の周縁部には、径方向外向きに延在する周鍔部２６が全周にわたって形成されている。このストレーナエレメント２２は本体ケース３と同軸心で配置され、他端開口２５が本体蓋４の内面に装着されて流出口７に連結される。濾材２３および濾材２７は例えばステンレス線材製の金網で構成され、例えば４０メッシュの目開きのものが使用される。
【００１９】
サイクロン筒体２８は、図７にも示すように、円筒状に形成された筒胴部２９と、筒胴部２９から延在して一体に形成され一端に向かうにつれて内径が徐々に小さくなる縮径筒部３０とから成っている。縮径筒部３０の外周面は、先端に向かうにつれて外径が小さくなるテーパ面４７として形成されている。縮径筒部３０の先端には、筒胴部２９の筒心（図７の１点鎖線Ｃ）に対し直角の方向に延びる取出管３１が一体に形成されている。この取出管３１には、縮径筒部３０の内部と外部とを連通する取出開口部３２が形成されている。この取出開口部３２には、蓋体１７の栓体１９が枝管１４の外部開口部１５から挿入される。筒胴部２９の外周面の対角位置には、１対の係止突起３３，３３が径方向外向きに突出して形成されている。筒胴部２９における縮径筒部３０と反対側の端面はサイクロン流出口３９となっている。このサイクロン流出口３９近傍の筒胴部２９には、１対のサイクロン流入口３４，３４が対角位置に形成されている。各サイクロン流入口３４を構成する一方のガイドエッジ部３８は径方向外向きに張り出して形成され、ガイドエッジ部３８と対面する他方のガイドエッジ部４４は径方向内向きに陥入して形成されている。
【００２０】
前記したガイドエッジ部３８，４４の特徴形状により、サイクロン流入口３４から流入した液体が筒胴部２９の内周面をその接線方向に沿って流動するようになっている。このサイクロン筒体２８も、透明材料である例えばポリエチレンナフタレートを原料として成型により得られる。すなわち、サイクロン筒体２８は、本体ケース３の内周面とストレーナエレメント２２の外周面との間の空間に配備され、本体ケース３と同軸心に配置される。また、サイクロン筒体２８の縮径筒部３０は本体ケース３の流入口６寄りに配置され、サイクロン流入口３４が流入口７寄りに配置される。そして、ストレーナエレメント２２の先端である濾材２７がサイクロン筒体２８内で縮径筒部３０の先端を指向するように配置されている。筒胴部２９と縮径筒部３０の筒心方向の長さはほぼ同じである。そして、サイクロン筒体２８およびストレーナエレメント２２がハウジング２内の所定位置に配置された状態で、ハウジング２の濾材２７の先端は筒胴部２９内に位置しており、縮径筒部３０内に達していない。これにより、縮径筒部３０内でのサイクロン流の流れを阻害しないようになっている。
【００２１】
上記した構成のインラインストレーナ１において、ハウジング２の内部は、流入口６と流出口７とを連通する液体通路となっている。この液体通路は、流入口６からつながる第１通路４１と、サイクロン筒体２８により第１通路４１と区画されてサイクロン筒体２８内に形成される第２通路４２と、ストレーナエレメント２２により通液自在に第２通路４２と区画されて流出口７につながる濾材２３内の第３通路４３とから成っている。第１通路４１と第２通路４２はサイクロン流入口３４，３４により連通している。
【００２２】
このインラインストレーナ１の組立手順の一例を説明する。本体ケース３の嵌合溝部３５には予め嵌着部材１２が嵌着されている。そこで、図８に示すように、作業者は本体蓋４の管部４０の根元部分にパッキング３６を装着する。そして、サイクロン筒体２８を本体ケース３の開口部５から装入する。その際に、サイクロン筒体２８の係止突起３３，３３を本体ケース３の係合溝部３７，３７内に挿入して案内させる。そのうち、取出管３１が本体ケース３の受口４５に当接することにより、サイクロン筒体２８が本体ケース３内で位置決め支持される。この状態で、取出管３１の取出開口部３２が枝管１４の外部開口部１５と対面して連結され、サイクロン筒体２８のサイクロン流出口３９の端面位置は、本体ケース３の開口部５の端面位置とほぼ面一になる。
【００２３】
次に、ストレーナエレメント２２の外周面の他端開口２５側にパッキング８を装着する。このストレーナエレメント２２をサイクロン筒体２８のサイクロン流出口３９から装入する。そのうち、パッキング８がサイクロン筒体２８のサイクロン流出口３９および本体ケース３の開口部５の各周縁部に当接することにより、パッキング８およびストレーナエレメント２２が支持される。更に、本体蓋４の雌ネジ部１０を本体ケース３の雄ネジ部９に螺合させることにより、パッキング８が圧縮されて本体ケース３の開口部５が封止され、ストレーナエレメント２２の他端開口２５の周縁部が本体蓋４の下面に密着して他端開口２５が流出口７と連通する。
【００２４】
続いて、蓋体１７の栓体１９の根元部分にパッキング２０を装着する。次に、栓体１９を枝管１４の外部開口部１５から装入する。そして、雄ネジ部１６に雌ネジ部１８を螺合させることにより、パッキング２０が圧縮されて枝管１４の外部開口部１５が封止され、栓体１９の先端部がサイクロン筒体２８の取出管３１内に入り込む。これにより、インラインストレーナ１の一連の組立が終わる。尚、本発明のインラインストレーナの組立手順は幾通りもあり、上記した手順に限定されるものでない。
【００２５】
上記のように構成されたインラインストレーナ１は、例えば先端にノズルを有する薬液散布管の末端雄ネジ部（図示省略）に雌ネジ部１１が螺止され、ポンプの吐出管とつながったホース先端の雄ネジ部（図示省略）に嵌着部材１２の雌ネジ部１３が螺止されて使用される。そこで、ポンプからホースに吐出された農薬液は本体ケース３の流入口６から第１通路４１に流入する。第１通路４１の農薬液は他端開口５に向かうが、その際に、サイクロン筒部２８の外周のテーパ面４７に沿って径方向に広がるように円滑に案内される。このテーパ面４７は、第１通路４１のなかで最も狭い、サイクロン筒体２８の筒胴部２９の外周面と本体ケース３の内周面との間の空間で農薬液の流速を高めるために、当該空間に農薬液を円滑に導いて流速を高くするという効果を呈する。
【００２６】
このように流速を高められた農薬液は他端開口５近傍に達し、サイクロン流入口３４，３４からサイクロン筒体２８内の第２通路４２に高速で流入する。このとき、農薬液はガイドエッジ部３８，４４の特徴形状による作用によってサイクロン筒体２８内の接線方向に流入し、サイクロン筒体２８の内周面に沿って高速旋回しながら流れる。これにより、農薬液に混入していたゴミや砂利などの夾雑物のうち、比重の大きなものほど筒胴部２９の内周面にたたきつけられて農薬液から分離される。農薬液から分離した夾雑物は、縮径筒部３０の内周面に導かれて縮径筒部３０内の底部に溜まる。
【００２７】
一方、縮径筒部３０に導かれた農薬液は旋回しながら本体蓋４の方向に向きを変える。このとき、農薬液はストレーナエレメント２２の濾材２７の存在により濾材２７の外周部に向けて円滑に案内されたのち濾材２３の外方位置に達する。因みに、濾材２７を有するストレーナエレメント２２に替えて、図９（ｂ）に示したストレーナエレメント８３Ｂのように、一端に４枚のカシメ部９４が存在するものを用いることも可能である。その場合、縮径筒部３０内で方向転換して本体蓋４側へ向かおうとする農薬液は４枚のカシメ部９４により周方向の旋回が邪魔される。その結果、夾雑物を分離するために、旋回しながら縮径筒部３０の先端に向かう農薬液の流れを邪魔することとなり、縮径筒部３０での夾雑物の分離効率が低下する。
そうして、農薬液が濾材２３を通過する際に、サイクロン筒体２８で捕捉された夾雑物よりも比重と粒径の小さな夾雑物が濾材２３で捕捉される。濾材２３で夾雑物が除去された農薬液は、ストレーナエレメント２２内の第３通路４３を通り流出口７から薬液散布管に流入し、ノズルから農作物に散布される。
【００２８】
サイクロン筒体２８の縮径筒部３０内に溜まった夾雑物は、いずれも透明な本体ケース３およびサイクロン筒体２８を透して外から視認することができる。従って、縮径筒部３０内の夾雑物の内容や状態あるいは量を確認することができ、夾雑物の取り出し時期の判断に役立つ。このように溜まった夾雑物を取り出すときは、蓋体１７を緩めて枝管１４から取り外す。すると、枝管１４の外部開口部１５およびサイクロン筒体２８の取出開口部３２が開放される。これにより、サイクロン流入口３４，３４から第２通路４２に流入した農薬液が枝管１４の外部開口部１５から器外に噴出する。この農薬液に同伴して縮径筒部３０内の夾雑物も器外に排出される。このとき、バケツなどを用意しておけば、枝管１４から噴出する農薬液および夾雑物をバケツで受けられるので、ほとんど手を濡らすことなく除去作業を行なうことができる。
【００２９】
上記したように、このインラインストレーナ１は、枝管１４から蓋体１７を外すだけで、薬液散布管やホースなどをインラインストレーナ１から取り外すことなく、また蓋体１７に開閉弁を設けることでポンプを停止させることなく、サイクロン筒体２８内の夾雑物を取り出すことができる。このような夾雑物の除去作業は非常に簡単なので頻繁に行なっても大きな負担にならない。そのうえ、取扱いが厳しく高価な農薬液を無駄に流失させることがない。
【００３０】
また、サイクロン筒体２８で夾雑物の多くが捕捉されストレーナエレメント２２で夾雑物の残りが捕捉されるので、ストレーナ全体の濾過負荷がサイクロン筒体２８とストレーナエレメント２２とに分担される。更に、サイクロン筒体２８で捕捉された夾雑物はハウジング２の外部開口部１５から外部に取り出すこともできるので、ストレーナエレメント２２で捕捉される夾雑物が比較的少なくなるから、ストレーナエレメント２２の掃除頻度が少なくて済む。そして、このインラインストレーナ１は組立、分解が簡単で、全ての部品のメンテナンスおよび洗浄を手軽に行なうことができる。このインラインストレーナ１では、サイクロン筒体２８におけるサイクロン流の発生に起因して流入口６と流出口７との間に圧力損失が生じるが、サイクロン筒体２８内にストレーナエレメント２２を収容したことにより、ストレーナエレメント２２がサイクロン流の流れをある程度抑制するので、前記の圧力損失が低減される。
【００３１】
また、例えばハウジングの周壁に流入口および流出口が形成されていて、流入口と流出口とを結ぶ線に対し直角の方向に縮径筒部の先端を向けたサイクロン筒体がハウジング内に配置されているようなストレーナも知られているが、このような配置のストレーナは嵩が大きくなるために地上設置式のものが多い。これに対し、本実施形態のインラインストレーナ１は、サイクロン筒体２８を備えているにも拘わらず、ハウジング２内に流入口６、サイクロン筒体２８、ストレーナエレメント２２、および流出口７が同軸心で配置されているので、小型のインライン型式を採ることができ大きなスペースをとらず軽量である。従って、薬液散布管の根元部に取り付けても散布作業の邪魔にならないという利点がある。
【００３２】
尚、上記の実施形態では、サイクロン筒体２８内に濾材２３および濾材２７を収容するようにストレーナエレメント２２をハウジング２に取り付けた例を示したが、本発明のストレーナエレメントはそれに限らない。ストレーナエレメント２２に替えて、例えば図９に示す金網製のストレーナエレメント２２Ａを用いることも可能である。ストレーナエレメント２２Ａは、先端が半球状に形成された濾材２３Ａの開口部周縁に周鍔部２６が設けられているものである。このストレーナエレメント２２Ａは、濾材２３Ａがハウジング２の流出口７内に配置され、周鍔部２６が本体蓋４の内面とパッキング８との間に挟持されて取り付けられる。
【００３３】
また、ストレーナエレメント２２に替えて、例えば図１０に示すストレーナエレメント２２Ｂを用いることもできる。ストレーナエレメント２２Ｂは、フラットな金網製の円板状に形成されたものである。このストレーナエレメント２２Ｂは本体蓋４の内面とパッキング８との間に挟持されて取り付けられる。
【００３４】
また、上記では、ストレーナエレメントの材料としてステンレス鋼製の金網を用いたが、本発明はそれに限定されるものでなく、例えば、微小孔が無数に穿設されたパンチングメタル、焼結金属、合成繊維製の不織布などを濾材として使用することもできる。また、ストレーナエレメントの閉塞部として、円形皿状の濾材２７を用いたが、この濾材２７に替えて、先端になるほど外径が小さくなるテーパ状面や半球状面の外周面を有する閉塞部を用いることも可能である。その場合、中空の金網でなく、中実の合成樹脂や金属で、閉塞部を構成しても構わない。
【符号の説明】
【００３５】
１    インラインストレーナ
２    ハウジング
３    本体ケース
４    本体蓋
６    流入口
７    流出口
１４  枝管
１５  外部開口部
１７  蓋体
２２，２２Ａ，２２Ｂ  ストレーナエレメント
２３  濾材
２４  一端開口
２５  他端開口
２７  濾材（閉塞部）
２８  サイクロン筒体
２９  筒胴部
３０  縮径筒部
３１  取出管
３２  取出開口部
３４  サイクロン流入口
３９  サイクロン流出口
Ｃ    １点鎖線
【図１】
2011025150.tif 000003
【図２】
2011025150.tif 000004
【図３】
2011025150.tif 000005
【図４】
2011025150.tif 000006
【図５】
2011025150.tif 000007
【図６】
2011025150.tif 000008
【図７】
2011025150.tif 000009
【図８】
2011025150.tif 000010
【図９】
2011025150.tif 000011
【図１０】
2011025150.tif 000012
【図１１】
2011025150.tif 000013